(57)【要約】【課題】シャワー装置内において被服等に付着した塵埃や有害物質を除去する際に清浄空気シャワーと水シャワーとを同時に使用することにより塵埃除去効果を高める。【解決手段】水噴出口と清浄空気噴出口との両噴出口を併設するノズルを複数基、シャワー室内に向けて水及び清浄空気を噴出するよう設けている。また、シャワー室の壁面及び又は扉面に対し付着する水滴を飛散させるための、清浄空気噴出用エアノズルをシャワー室の壁面及び又は天井面に設けている。そして、清浄噴出口が、摺動自在にその向きを変更可能に支持された球状体ダクトに設けられ、水噴出口は前記清浄空気噴出口内に清浄空気噴出口と中心線を一致させて設けられている。【選択図】図１
2009024907.tif 000002
【特許請求の範囲】
【請求項１】
水噴出口と清浄空気噴出口との両噴出口を併設するノズルを複数基、シャワー室内に向け水及び清浄空気を噴出するよう設けてなる水エアシャワー装置。
【請求項２】
シャワー室内の壁面及び又は扉面に対し、付着水滴吹き飛ばし用の清浄空気を噴出するエアノズルを設けたことを特徴とする請求項１記載の水エアシャワー装置。
【請求項３】
清浄空気噴出口は、摺動自在にその向きを変更可能に支持された球状体ダクトに設けられ、水噴出口は前記清浄空気噴出口内に清浄空気噴出口と中心線を一致させて設けたことを特徴とする請求項１記載の水エアシャワー装置。
【発明の詳細な説明】
【技術分野】
【０００１】
本発明は、製薬工場等における、人，荷物等の出入口において、衣服等の表面に付着した有害物質、製薬剤の粉体等の塵埃を、水と清浄空気とを同時又は別個に噴射して除塵して乾燥する水エアシャワー装置に関する。
【背景技術】
【０００２】
従来、清浄室等への入室前に、身体，衣服等の表面に付着した塵埃，粉体等を取り除く場合、シャワーによる洗浄，乾燥が行なわれるが、この場合水を噴射する回路と清浄空気を噴射する回路を１つのノズルに接続し、その接続を適時切換えて清浄空気又は水を１つのノズルから噴出するようにしたシャワー装置が知られ（特許文献１）ている。
【０００３】
この装置にあっては、清浄空気噴出用ノズルと水噴出用ノズルとは兼用されておりノズル途中の管路の切換えにより水又は清浄空気の一方が噴出されることになり、水と清浄空気とを同時に噴出し、その相乗効果を発揮させることは出来なかった。
また、水シャワーを使用した後は、清浄室内壁面等に水滴が付着し、特に、出入口の扉を室外側に開けると水滴が装置外の床面に落下し床面を汚損する欠点があった。
【特許文献１】特公昭６３−２８６２１号公報
【発明の開示】
【発明が解決しようとする課題】
【０００４】
本発明は上記の点に鑑みて、シャワー装置内において被服等に付着した塵埃や有害物質を除去する際に、エアシャワーと水シャワーとを同時に使用することにより塵埃除去効果を高めることを目的としている。
また、出入口の扉等に付着した水滴が扉の開閉時に扉より落下し、水エアシャワー装置外の床面を汚すこしとを防止することを目的としている。
【課題を解決するための手段】
【０００５】
請求項１記載の発明にあっては、水噴出口と清浄空気噴出口との両噴出口を併設するノズルを複数基、シャワー室内に向けて水及び清浄空気を噴出するよう設けている。
請求項２記載の発明にあっては、請求項１記載の発明において、シャワー室の壁面及び又は扉面に付着する水滴を飛散させるための、清浄空気噴出用エアノズルをシャワー室の壁面及び又は天井面に設けている。
請求項３記載の発明にあっては、請求項１記載の発明において、清浄空気噴出口が、摺動自在にその向きを変更可能に支持された球状体ダクトに設けられ、水噴出口は前記清浄空気噴出口内に清浄空気噴出口と中心線を一致させて設けられている。
【発明の効果】
【０００６】
本発明は、水噴出口と清浄空気噴出口との両噴出口を併設するノズルを複数基、シャワー室内に向けて水及び清浄空気を噴出するよう設けているために、被洗滌体に向け清浄空気と水とを同時に吹き当てることが可能であり、また、水噴出口は、清浄空気噴出口内に清浄空気噴出口と中心線を一致させて設けてある為に、清浄対象に向け同一方向から同時に噴出流を集中させることが可能で、除塵効果を高めることが出来る。また、水噴出口と清浄空気噴出口が一体にセットされているために、両噴出口を同時に操作し対象に向けることが可能で目的の部位に同時に噴射させ得る。
【０００７】
また、シャワー室内の壁面或いは扉内面に付着した水滴は付着水滴吹き飛ばし用の清浄空気噴出エアノズルを有しているため、常時付着している水滴を扉面から取り払っており扉を装置の外側に向け開いた際に扉内面に付着した水滴が装置外の床面に落ち床面をよごすような自体は生じない。
【発明を実施するための最良の形態】
【０００８】
本発明水エアシャワー装置１の実施の形態を次に説明する。
図１は同装置１の縦断正面図、図２は同縦断側面図、図３はノズル２の断面図である。  水エアシャワー装置１は、中央の、入室者を清浄化するシャワー室３の両側壁面４及び天井５に複数のノズル２を配している。ノズル２は球状体ダクト６が支持部材７に摺動自在にその向きを変更することを可能に支持されている。図３に示す如く、球状体ダクト６は、中心線Ｘ−Ｘ線上に位置してシャワー室３側に面して筒状体を突出して清浄空気噴出口８とし、その反対側は後述する陽圧室９に向け開いている。球状体ダクト６の支持部材７は、球状体ダクト６の中心を通る仮想平面Ｙ上に位置し、部分縦断面がＹ又はＴ字状をなし、球状体ダクト６をその外周縁から環状に囲い摺動自在に支持している。
【０００９】
球状体ダクト６の中心線Ｘ−Ｘ上に位置して、清浄空気噴出口８内に水噴出口１０を設ける。水噴出口１０は導管１１により図示しない給水源に継ながっている。給水源との間には図示しない弁機構を設け、その操作により水噴出口１０からの水の噴出の時間及び水量等を適宜調整することを可能にしている。Ｓ１は前記動作の前提となる水噴出用の水起動スイッチである。
【００１０】
シャワー室３両側の陽圧室９のそれぞれの下位にファン収容室１２を設け、給気ファン１３を設置する。１４はファン収容室１２の壁面に設けたプレフィルタを有する吹込口である。ファン収容室１２とシャワー室３との間には、通気口１５が設けてある。上記機構によって給気ファン１３の作動と共にシャワー室３内に清浄空気は通気口１５からファン収容室１２に吸い込まれ、給気ファン１３により陽圧室９に吹き出されヘパフィルタ１６を通過しノズル２からシャワー室３への清浄空気回路が作られる。
一方の陽圧室９の上部にはシャワー室３内を照らす照明具１７が、他方の陽圧室９の上部には排気手段１８が設けられている。１９は排気ギャラリ、２０は排気ファンである。
【００１１】
本発明水エアシャワー装置１のシャワー室３に出入するための扉２１の設けられた天井部分には、図２，図４に示す如く天井５内の陽圧室９に通じる清浄空気吹出用ノズル２２を設けている。清浄空気吹出用ノズル２２はその噴き出し方向を扉２１側に向けてあり、常に扉内面側に噴出空気を吹き当てる状態にしている。この機構により、清浄作業時に飛散し扉表面に付着した水滴も上記噴出空気により直ちに吹き落されて扉下部のシンク２３に落され排出される。図５に扉下部シンク２３の設置状態を示す。扉下部シンク２３はパッキン２４，水漏れ防止壁２５を有し、下部シンク２３に溜った水は導管２６でシャワー室３に敷かれているグレーチング２７を経て排出手段２８に集められる。
【００１２】
本発明装置にあっては、清浄作業を行う際は、通常フアン水連動スイッチＳ１を押し、清浄空気と水との双方をそれぞれ清浄空気噴出口８と水噴出口１０との双方から同時に清浄化し自動的に乾燥を行う。例えば人体に当てると、前記両噴出口８，１０は共にノズル２の共通する中心線Ｘ−Ｘ上に位置してその噴出方向を一致させて目的物に噴き当てているために、その浄化力は向上し清浄空気と水とを個別に吹き当てる場合よりも効果的である。更に乾燥が必要な場合などには、ファン運転スイッチＳ２を押すことで清浄空気のみ噴出させることが可能である。
【００１３】
水エアシャワーの洗浄効果を確認するために次の実験を行なった。
水エアシャワーの庫内にレインコートを着衣したマネキンを設置し、表面に関東ローム７種（赤茶色）を付着させ、水シャワーを噴射させる。噴射方法は、水シャワー単独運転と水プラス清浄空気シャワーの複合方法を行い、同時に噴射時間を３０秒，６０秒の相０についても比較を行った。
【００１４】
結論として、
（１）水シャワーのみ３０秒洗浄した場合は、直接水が当たらない箇所において洗浄効果劣る。（但し回転動作を行えば洗浄できると推定する）
（２）水シャワーのみ６０秒洗浄した場合、レインコートのしわの間に若干残り、９８％の洗浄効果が得られる。洗浄時間は６０秒以上必要である。
（３）水とエアシャワーを同時に運転の場合、洗浄時間は３０秒で９９％の効果がある。水シャワー単独運転時と比較すると洗浄効果は３倍以上ある。
という事を確認した。
【図面の簡単な説明】
【００１５】
【図１】水エアシャワー装置の一部省略した縦断正面図。
【図２】同縦断側面図。
【図３】ノズルの縦断面図。
【図４】扉上部に設けたエアノズルの概略説明図。
【図５】扉下部のシンクの状態を示す概略説明図。
【符号の説明】
【００１６】
１  水エアシャワー装置
２  ノズル
３  シャワー室
４  壁面
５  天井
６  球状体ダクト
７  支持部材
８  洗浄空気噴出口
９  陽圧室
１０  水噴出口
１１  導管
１２  ファン収容室
１３  給気ファン
１４  吹込口
１５  通気口
１６  ヘパフィルター
１７  照明具
１８  排気手段
１９  排気ギャラリ
２０  排気ファン
２１  扉
２２  清浄空気吹出用ノズル
２３  シンク
２４  パッキン
２５  水漏れ防止壁
２６  導管
２７  グレーチング
Ｙ  仮想平面
Ｘ−Ｘ  球状体ダクト６の中心線
【図１】
2009024907.tif 000003
【図２】
2009024907.tif 000004
【図３】
2009024907.tif 000005
【図４】
2009024907.tif 000006
【図５】
2009024907.tif 000007